(57)【要約】【課題】薄型化を実現する。製造を容易にする。【解決手段】プリント基板（１）には、ダイオード（Ｄａ）の本体を収容し得る嵌入孔（α）が形成され、ダイオード（Ｄａ）の本体は、プリント基板（１）の表面側から嵌入孔（α）に嵌め込まれ、ダイオード（Ｄａ）のリード線はプリント基板（１）の表面のランドパターン（Ｒ）にハンダ付けされ、コンデンサもプリント基板（１）の表面のランドパターン（Ｒ）にハンダ付けされている。【効果】ダイオード（Ｄａ）の半分が嵌入孔（α）に入っているので薄型化を図れる。嵌入孔（α）にダイオード（Ｄａ）を入れる作業は容易であり、プリント基板（１）の片面のみにランドパターン（Ｒ）があればよく、片面でハンダ付けすればよいので、製造が容易になる。【選択図】　図７
2004048905.tif 000002
【特許請求の範囲】
【請求項１】
プリント基板（１）にチップ部品のコンデンサ（Ｃａ〜Ｃｈ）と高耐圧部品のダイオード（Ｄａ〜Ｄｈ）とを実装して倍電圧整流回路（１３）を構成した倍電圧整流回路基板（１０）であって、プリント基板（１）には、ダイオード（Ｄａ〜Ｄｈ）の本体を収容し得る嵌入孔（α）が形成され、ダイオード（Ｄａ〜Ｄｈ）の本体は、プリント基板（１）の表面側から嵌入孔（α）に嵌め込まれ、ダイオード（Ｄａ〜Ｄｈ）のリード線（Ｌ１，Ｌ２）はプリント基板（１）の表面のランドパターン（Ｒ）にハンダ付けされ、コンデンサ（Ｃａ〜Ｃｈ）もプリント基板（１）の表面のランドパターン（Ｒ）にハンダ付けされてなることを特徴とする倍電圧整流回路基板（１０）。
【発明の詳細な説明】
【０００１】
【発明の属する技術分野】
本発明は、倍電圧整流回路基板に関し、さらに詳しくは、薄型化を実現できると共に製造しやすい倍電圧整流回路基板に関する。
【０００２】
【従来の技術】
図８は、高圧電源装置１００の回路図である。このような高圧電源装置は、例えばＦＥＤ（Ｆｉｅｌｄ　Ｅｍｍｉｓｓｉｏｎ　Ｄｉｓｐｌａｙ）等のフラットパネルディスプレイや電気集塵機・陰イオン発生装置に使用される。
【０００３】
この高圧電源装置１００は、交流電圧（例えば２４Ｖ）を出力するドライブ回路１１と、一次側に入力された交流電圧を昇圧した交流電圧（例えば１．２５ｋＶｏ−ｐ）を二次側に出力するトランス１２と、コンデンサＣａ〜ＣｈとダイオードＤａ〜Ｄｈを組み合わせたコッククロフト−ウオルトン回路によりトランス１２の二次側出力の交流電圧を整流・昇圧した出力電圧Ｖｏ（例えば１０ｋＶ）を出力する倍電圧整流回路１３と、出力電圧Ｖｏを検出する出力電圧検出回路１４と、出力電圧Ｖｏを抵抗Ｒ１，Ｒ２で１／２０００程度に分圧した分圧電圧が参照電圧Ｖｓ（例えば５Ｖ）に一致するようにドライブ回路１１を制御する制御回路１６とを具備している。
【０００４】
図９の（ａ）は、倍電圧整流回路１３をプリント基板５１に搭載した倍電圧整流回路基板５０の要部上面図である。図９の（ｂ）は、倍電圧整流回路基板５０の要部側面図である。
プリント基板５１上には、チップ部品のコンデンサＣａ〜Ｃｈおよび高耐圧部品のダイオードＤａ〜Ｄｈが実装され、倍電圧整流回路１３を構成している。
【０００５】
倍電圧整流回路基板５０は、次の（１）〜（３）の工程により製造される。
（１）図１０に示すように、高耐圧部品のダイオードＤａのリード線Ｌ１，Ｌ２を、根本から例えば１．５ｍｍの長さδを残して直角に折り曲げる。高耐圧部品のダイオードＤｂ〜Ｄｈについても同様にリード線を折り曲げる。
（２）図１１に示すように、プリント基板５１のランドパターンＰにチップ部品のコンデンサＣａ〜ＣｈをハンダＳで実装すると共に、作業者が、プリント基板５１に穿設されたスルーホールβ１，β２にダイオードＤａ〜Ｄｈのリード線Ｌ１，Ｌ２の先端を差し入れる。
（３）図１２に示すように、プリント基板５１の裏面から突き出たリード線Ｌ１，Ｌ２の先端を裏面のランドパターンＰ’にハンダＳ’にてハンダ付けする。
【０００６】
図１２に示すように、倍電圧整流回路基板５０の厚さは、約４．５ｍｍ（＝プリント基板５１の厚さ１ｍｍ＋ダイオードＤａの厚さ２．５ｍｍ＋ハンダＳ’の高さ１ｍｍ）となる。
なお、チップ部品のコンデンサＣａ〜Ｃｈの厚さは、約１ｍｍである。
【０００７】
【発明が解決しようとする課題】
従来の倍電圧整流回路基板５０では、高耐圧部品のダイオードＤｂ〜Ｄｈの厚さのために、厚さｈが大きくなる問題点がある。
また、作業者がダイオードＤａ〜Ｄｈのリード線Ｌ１，Ｌ２の先端をスルーホールβ１，β２に差し入れる必要があったり、プリント基板５１の両面にランドパターンＰ，Ｐ’が必要になったり、プリント基板５１の両面でハンダＳ，Ｓ’によるハンダ付けが必要になり、製造が煩雑になる問題点がある。
そこで、本発明の目的は、薄型化を実現できると共に、製造しやすい倍電圧整流回路基板を提供することにある。
【０００８】
【課題を解決するための手段】
第１の観点では、本発明は、プリント基板（１）にチップ部品のコンデンサ（Ｃａ〜Ｃｈ）と高耐圧部品のダイオード（Ｄａ〜Ｄｈ）とを実装して倍電圧整流回路（１３）を構成した倍電圧整流回路基板（１０）であって、プリント基板（１）には、ダイオード（Ｄａ〜Ｄｈ）の本体を収容し得る嵌入孔（α）が形成され、ダイオード（Ｄａ〜Ｄｈ）の本体は、プリント基板（１）の表面側から嵌入孔（α）に嵌め込まれ、ダイオード（Ｄａ〜Ｄｈ）のリード線（Ｌ１，Ｌ２）はプリント基板（１）の表面のランドパターン（Ｒ）にハンダ付けされ、コンデンサ（Ｃａ〜Ｃｈ）もプリント基板（１）の表面のランドパターン（Ｒ）にハンダ付けされてなることを特徴とする倍電圧整流回路基板（１０）を提供する。
上記第１の観点による倍電圧整流回路（１０）では、ダイオード（Ｄａ〜Ｄｈ）の本体がプリント基板（１）の嵌入孔（α）に沈んだ状態になるので、プリント基板（１）の厚さ分程度の薄型化を図ることが出来る。
また、嵌入孔（α）にダイオード（Ｄａ〜Ｄｈ）の本体を入れる作業は、リード線（Ｌ１，Ｌ２）の先端をスルーホール（β１，β２）に差し入れる作業より容易である。さらに、プリント基板（１）の片面のみにランドパターン（Ｒ）があればよく、プリント基板（１）の片面でハンダ（Ｓ）によるハンダ付けをすればよいので、製造が容易になり、生産性を向上できる。
【０００９】
【発明の実施の形態】
以下、図に示す実施の形態により本発明をさらに詳細に説明する。なお、これにより本発明が限定されるものではない。
【００１０】
図１の（ａ）は、本発明の一実施形態にかかる倍電圧整流回路基板１０の要部上面図である。図１の（ｂ）は、倍電圧整流回路基板１０の要部側面図である。プリント基板１上には、チップ部品のコンデンサＣａ〜Ｃｈおよび高耐圧部品のダイオードＤａ〜Ｄｈが実装され、倍電圧整流回路１３（図８参照）を構成している。
【００１１】
図２は、プリント基板１を示す斜視図である。
プリント基板１には、高耐圧部品のダイオードのＤａ〜Ｄｈの本体の下半分を収容し得る嵌入孔αが形成されている。
【００１２】
倍電圧整流回路基板１０は、次の（１）〜（４）の工程により製造される。
（１）図３に示すように、高耐圧部品のダイオードＤａのリード線Ｌ１，Ｌ２を、根本から例えば１．５ｍｍの長さδを残して切断する。高耐圧部品のダイオードＤｂ〜Ｄｈについても同様にリード線を切断する。
（２）図４に示すように、作業者が、プリント基板１に形成された嵌入孔αに、ダイオードＤａ〜Ｄｈの本体を表面側から嵌め込む。
（３）図５に示すように、チップマウンタ装置（図示せず）により、プリント基板１上にチップ部品のコンデンサＣａ〜Ｃｈを自動実装する。
（４）図６に示すように、ダイオードＤａ〜Ｄｈのリード線Ｌ１，Ｌ２の先端部およびコンデンサＣａ〜Ｃｈの端子部を、プリント基板１のランドパターンＲにハンダＳでハンダ付けする。
【００１３】
図７に示すように、倍電圧整流回路基板１０の厚さは、約２．５ｍｍ（＝ダイオードＤａの厚さ２．５ｍｍ）となる。
なお、チップ部品のコンデンサＣａ〜Ｃｈの厚さは、約１ｍｍである。
【００１４】
以上の倍電圧整流回路基板１０によれば、ダイオードＤａ〜Ｄｈの下半分程度がプリント基板１の嵌入孔αに沈んだ状態になるので、薄型化を実現することが出来る。
また、嵌入孔αにダイオードＤａ〜Ｄｈの本体を入れる作業は、リード線Ｌ１，Ｌ２の先端をスルーホールβ１，β２に差し入れる作業より容易である。さらに、プリント基板１の片面のみにランドパターンＲがあればよく、プリント基板１の片面でハンダＳによるハンダ付けをすればよいので、製造が容易になり、生産性を向上できる。
さらに、プリント基板１の裏面へもダイオードＤａ〜Ｄｈが放熱するので、熱的安定性も向上する。
【００１５】
【発明の効果】
本発明の倍電圧整流回路基板によれば、薄型化を実現することが出来る。また、製造が容易になり、生産性を向上できる。
【図面の簡単な説明】
【図１】本発明の一実施形態にかかる倍電圧整流回路基板を示す要部上面図および要部側面図である。
【図２】本発明の一実施形態にかかるプリント基板の要部斜視図である。
【図３】ダイオードのリード線の両端を切断する状態を示す説明図である。
【図４】プリント基板の嵌入孔にダイオードの本体を嵌入する作業を示す説明図である。
【図５】プリント基板上にコンデンサを載せた状態を示す説明図である。
【図６】ダイオードおよびコンデンサをハンダ付けした状態を示す説明図である。
【図７】ダイオードのハンダ付けを示す要部断面図である。
【図８】倍電圧整流回路を含む高圧電源装置の回路図である。
【図９】従来の倍電圧整流回路基板の一例を示す要部上面図および要部側面図である。
【図１０】ダイオードの両側のリード線を直角に折り曲げた状態を示す説明図である。
【図１１】プリント基板のスルーホールにダイオードのリード線を挿入する作業を示す説明図である。
【図１２】ダイオードのハンダ付けを示す要部断面図である。
【符号の説明】
１　　　　　プリント基板
１０　　　　倍電圧整流回路基板
１３　　　　倍電圧整流回路
１００　　　高圧電源装置
Ｃａ〜Ｃｈ　コンデンサ
Ｄａ〜Ｄｈ　ダイオード
Ｌ１，Ｌ２　リード線
Ｒ　　　　　ランドパターン
Ｓ　　　　　ハンダ
α　　　　　嵌入孔
【図１】
2004048905.tif 000003
【図２】
2004048905.tif 000004
【図３】
2004048905.tif 000005
【図４】
2004048905.tif 000006
【図５】
2004048905.tif 000007
【図６】
2004048905.tif 000008
【図７】
2004048905.tif 000009
【図８】
2004048905.tif 000010
【図９】
2004048905.tif 000011
【図１０】
2004048905.tif 000012
【図１１】
2004048905.tif 000013
【図１２】
2004048905.tif 000014